(57)【要約】【課題】ラテアートを用いた、より興趣性のある飲料サービスを提供することが可能な提供システムを提供する。【解決手段】本発明は、対象物を提供可能な提供装置、対象物を収容可能な第１の容器、及び該第１の容器を収容可能な第２の容器を含む提供システムであって、提供装置は、複数の絵柄のうちの１つの絵柄を受付可能な絵柄受付部と、対象物を第１の容器に供給可能な対象物供給部と、絵柄受付部が受け付けた絵柄を生成するために、対象物供給部により第１の容器に供給された対象物に描画用材料を付加する描画用材料付加部と、を備え、第２の容器は所定の形成物を有し、第１の容器が第２の容器に収容されたとき、描画用材料付加部が描画用材料を付加することにより生成された絵柄は、第２の容器が有する所定の形成物と一体化することができる、提供システムである。【選択図】図１
2020156890.tif 000002
【特許請求の範囲】
【請求項１】
対象物を提供可能な提供装置、対象物を収容可能な第１の容器、及び該第１の容器を収容可能な第２の容器を含む提供システムであって、
前記提供装置は、
複数の絵柄のうちの１つの絵柄を受付可能な絵柄受付部と、
対象物を前記第１の容器に供給可能な対象物供給部と、
前記絵柄受付部が受け付けた絵柄を生成するために、前記対象物供給部により前記第１の容器に供給された対象物に描画用材料を付加する描画用材料付加部と、を備え、
前記第２の容器は所定の形成物を有し、
前記第１の容器が前記第２の容器に収容されたとき、前記描画用材料付加部が描画用材料を付加することにより生成された絵柄は、前記第２の容器が有する所定の形成物と一体化することができる、
提供システム。
【請求項２】
前記第１の容器が前記第２の容器に収容されたとき、前記生成された絵柄及び前記第２の容器が有する所定の形成物は一体となって１つの絵柄を形成する、請求項１に記載の提供システム。
【請求項３】
前記第２の容器が有する所定の形成物は、該容器の側面に形成された模様及び該容器の開口縁部に形成された造形物のうちの少なくとも１つである、請求項１又は２に記載の提供システム。
【請求項４】
前記第１の容器及び前記第２の容器は、前記第１の容器が前記第２の容器に収容されたとき、前記第２の容器が前記第１の容器に対して変位できるように構成される、請求項１から３のいずれか１項に記載の提供システム。
【請求項５】
前記第１の容器及び前記第２の容器は、前記第１の容器が前記第２の容器に収容されたとき、前記第２の容器が前記第１の容器に対して周方向にのみ回転できるように構成される、請求項４に記載の提供システム。
【請求項６】
前記第１の容器及び前記第２の容器は、前記第１の容器が前記第２の容器に収容されたとき、前記第２の容器の内側面が前記第１の容器の外側面に沿って該外側面を覆うように構成される、請求項１から５のいずれか１項に記載の提供システム。
【請求項７】
前記第２の容器は、前記第１の容器が前記第２の容器に収容されたとき、前記描画用材料付加部が描画用材料を付加することにより生成可能な複数の絵柄が、該第２の容器が有する所定の形成物と一体化することができるように構成される、請求項１から６のいずれか１項に記載の提供システム。
【請求項８】
前記提供装置は、複数の絵柄を記憶する絵柄記憶部を更に備え、
前記絵柄受付部は、ユーザからの入力情報又は抽選処理に基づいて前記絵柄記憶部が記憶する複数の絵柄から選択された１つの絵柄を受付可能である、請求項１から７のいずれか１項に記載の提供システム。
【請求項９】
前記提供システムは、複数の絵柄を記憶する絵柄記憶装置を更に備え、
前記絵柄受付部は、ユーザからの入力情報に基づいて選択された１つの絵柄に関するデータを前記絵柄記憶装置から受信することにより該１つの絵柄を受付可能である、請求項１から７のいずれか１項に記載の提供システム。
【請求項１０】
前記ユーザからの入力情報は、ユーザが操作する電子装置から受信したゲームの実行結果である、請求項８又は９に記載の提供システム。
【請求項１１】
前記記憶される複数の絵柄は、所定の期間ごとに更新される、請求項８から１０のいずれか１項に記載の提供システム。
【請求項１２】
前記対象物供給部は、前記描画用材料付加部を含み、前記第１の容器に対象物を供給した後で描画用材料を付加するように構成される、請求項１から１１のいずれか１項に記載の提供システム。
【請求項１３】
対象物は泡状体を含む液状体であり、描画用材料は食用インク体である、請求項１から１２のいずれか１項に記載の提供システム。
【請求項１４】
前記描画用材料付加部は、前記対象物供給部により前記第１の容器に供給された対象物に多色の食用インク体を付加することにより、前記絵柄受付部が受け付けた絵柄を生成するように構成される、請求項１から１３のいずれか１項に記載の提供システム。
【請求項１５】
前記第１の容器及び前記第２の容器は、前記第１の容器が前記第２の容器に収容されたとき、前記第１の容器の開口縁面及び前記第２の容器の開口縁面が実質的に面一となるように構成され、
前記生成された絵柄は、キャラクタを表す絵柄であり、前記第１の容器の開口縁部又は前記第２の容器の開口縁部が該キャラクタの顔面の輪郭を構成する、請求項１から１４のいずれか１項に記載の提供システム。
【請求項１６】
描画用材料が付加された対象物の対価を決定可能な対価決定部を更に備え、
対価決定部は、前記絵柄受付部が受け付けた絵柄に応じて異なる対価を決定するように構成される、請求項１から１５のいずれか１項に記載の提供システム。
【請求項１７】
前記対価決定部は、対象物に対する第１の対価及び絵柄に対する第２の対価を決定するように構成され、該第２の対価は、該１の対価と異なるものであり、該第１の対価よりも低い額である、請求項１６に記載の提供システム。
【請求項１８】
対象物を提供可能な提供装置、対象物を収容可能な第１の容器、及び該第１の容器をその中に嵌め込むことが可能なスリーブを含む提供システムであって、
前記提供装置は、
複数の絵柄のうちの１つの絵柄を受付可能な絵柄受付部と、
対象物を前記第１の容器に供給可能な対象物供給部と、
前記絵柄受付部が受け付けた絵柄を生成するために、前記対象物供給部により前記第１の容器に供給された対象物に描画用材料を付加する描画用材料付加部と、を備え、
前記スリーブは所定の形成物を有し、
前記第１の容器が前記スリーブ内に嵌め込まれたとき、前記描画用材料付加部が描画用材料を付加することにより生成された絵柄は、前記スリーブが有する所定の形成物と一体化することができる、
提供システム。
【請求項１９】
対象物を提供可能な提供システムであって、
複数の絵柄のうちの１つの絵柄を受付可能な絵柄受付部と、
対象物を第１の容器に供給可能な対象物供給部と、
前記絵柄受付部が受け付けた絵柄を生成するために、前記対象物供給部により前記第１の容器に供給された対象物に描画用材料を付加する描画用材料付加部と、を備え、
前記第１の容器は、前記第１の容器とは異なる第２の容器内に収容可能なものであり、前記第２の容器は所定の形成物を有し、
前記第１の容器が前記第２の容器に収容されたとき、前記描画用材料付加部が描画用材料を付加することにより生成された絵柄は、前記第２の容器が有する所定の形成物と一体化することができる、
提供システム。
【請求項２０】
対象物を提供可能な提供装置であって、
複数の絵柄のうちの１つの絵柄を受付可能な絵柄受付部と、
対象物を第１の容器に供給可能な対象物供給部と、
前記絵柄受付部が受け付けた絵柄を生成するために、前記対象物供給部により前記第１の容器に供給された対象物に描画用材料を付加する描画用材料付加部と、を備え、
前記第１の容器は、前記第１の容器とは異なる第２の容器内に収容可能なものであり、前記第２の容器は所定の形成物を有し、
前記第１の容器が前記第２の容器に収容されたとき、前記描画用材料付加部が描画用材料を付加することにより生成された絵柄は、前記第２の容器が有する所定の形成物と一体化することができる、
提供装置。
【請求項２１】
対象物を提供可能な提供装置に実行させるためのプログラムであって、該提供装置に、
複数の絵柄のうちの１つの絵柄を受け付けるステップと、
対象物を第１の容器に供給するように前記提供装置を動作させるステップと、
前記受け付けた絵柄を生成するために、前記第１の容器に供給された対象物に描画用材料を付加するように、前記提供装置を動作させるステップと、を実行させ、
前記第１の容器は、前記第１の容器とは異なる第２の容器内に収容可能なものであり、前記第２の容器は所定の形成物を有し、
前記第１の容器が前記第２の容器に収容されたとき、前記生成された絵柄は、前記第２の容器が有する所定の形成物と一体化することができる、
プログラム。
【発明の詳細な説明】
【技術分野】
【０００１】
本発明は、提供システム、提供装置、及びプログラムに関する。
【背景技術】
【０００２】
近年、カフェラテなどの飲料の上面のスチームで泡立てられたミルクの上にキャラクタなどの絵柄を描くラテアートが流行している。例えば、特許文献１、２は、ラテアートを行う飲料提供装置を開示している。
【先行技術文献】
【特許文献】
【０００３】
【特許文献１】特開２０１７−０８０２２３号
【特許文献２】特開２０１８−０２７０２３号
【発明の概要】
【発明が解決しようとする課題】
【０００４】
従来、ラテアートは、容器に注がれた飲料の上面のミルクの泡に食品着色料を付加することにより完成するものであり、ユーザは、飲料の上面に描かれたキャラクタなどの絵柄を楽しむことができた。特許文献１、２は、既存のラテアートの提供に関して改善するための技術であるが、ユーザの更なる利用を促すため、ラテアートを用いた飲料の提供において、より興趣性のある飲料サービスの提供が求められている。
【０００５】
本発明は、このような課題を解決するためになされたものであり、ラテアートを用いた、より興趣性のある飲料サービスを提供することが可能な提供システムを提供することを主目的とする。
【課題を解決するための手段】
【０００６】
本発明の一態様としての提供システムは、
対象物を提供可能な提供装置、対象物を収容可能な第１の容器、及び該第１の容器を収容可能な第２の容器を含む提供システムであって、
前記提供装置は、
複数の絵柄のうちの１つの絵柄を受付可能な絵柄受付部と、
対象物を前記第１の容器に供給可能な対象物供給部と、
前記絵柄受付部が受け付けた絵柄を生成するために、前記対象物供給部により前記第１の容器に供給された対象物に描画用材料を付加する描画用材料付加部と、を備え、
前記第２の容器は所定の形成物を有し、
前記第１の容器が前記第２の容器に収容されたとき、前記描画用材料付加部が描画用材料を付加することにより生成された絵柄は、前記第２の容器が有する所定の形成物と一体化することができる、ことを特徴とする。
【０００７】
また、本発明において好ましくは、前記第１の容器が前記第２の容器に収容されたとき、前記生成された絵柄及び前記第２の容器が有する所定の形成物は一体となって１つの絵柄を形成する。
【０００８】
また、本発明において好ましくは、前記第２の容器が有する所定の形成物は、該容器の側面に形成された模様及び該容器の開口縁部に形成された造形物のうちの少なくとも１つである。
【０００９】
また、本発明において好ましくは、前記第１の容器及び前記第２の容器は、前記第１の容器が前記第２の容器に収容されたとき、前記第２の容器が前記第１の容器に対して変位できるように構成される。
【００１０】
また、本発明において好ましくは、前記第１の容器及び前記第２の容器は、前記第１の容器が前記第２の容器に収容されたとき、前記第２の容器が前記第１の容器に対して周方向にのみ回転できるように構成される。
【００１１】
また、本発明において好ましくは、前記第１の容器及び前記第２の容器は、前記第１の容器が前記第２の容器に収容されたとき、前記第２の容器の内側面が前記第１の容器の外側面に沿って該外側面を覆うように構成される。
【００１２】
また、本発明において好ましくは、前記第２の容器は、前記第１の容器が前記第２の容器に収容されたとき、前記描画用材料付加部が描画用材料を付加することにより生成可能な複数の絵柄が、該第２の容器が有する所定の形成物と一体化することができるように構成される。
【００１３】
また、本発明において好ましくは、前記提供装置は、複数の絵柄を記憶する絵柄記憶部を更に備え、
前記絵柄受付部は、ユーザからの入力情報又は抽選処理に基づいて前記絵柄記憶部が記憶する複数の絵柄から選択された１つの絵柄を受付可能である。
【００１４】
また、本発明において好ましくは、前記提供システムは、複数の絵柄を記憶する絵柄記憶装置を更に備え、
前記絵柄受付部は、ユーザからの入力情報に基づいて選択された１つの絵柄に関するデータを前記絵柄記憶装置から受信することにより該１つの絵柄を受付可能である。
【００１５】
また、本発明において好ましくは、前記ユーザからの入力情報は、ユーザが操作する電子装置から受信したゲームの実行結果である。
【００１６】
また、本発明において好ましくは、前記記憶される複数の絵柄は、所定の期間ごとに更新される。
【００１７】
また、本発明において好ましくは、前記対象物供給部は、前記描画用材料付加部を含み、前記第１の容器に対象物を供給した後で描画用材料を付加するように構成される。
【００１８】
また、本発明において好ましくは、対象物は泡状体を含む液状体であり、描画用材料は食用インク体である。
【００１９】
また、本発明において好ましくは、前記描画用材料付加部は、前記対象物供給部により前記第１の容器に供給された対象物に多色の食用インク体を付加することにより、前記絵柄受付部が受け付けた絵柄を生成するように構成される。
【００２０】
また、本発明において好ましくは、前記第１の容器及び前記第２の容器は、前記第１の容器が前記第２の容器に収容されたとき、前記第１の容器の開口縁面及び前記第２の容器の開口縁面が実質的に面一となるように構成され、
前記生成された絵柄は、キャラクタを表す絵柄であり、前記第１の容器の開口縁部又は前記第２の容器の開口縁部が該キャラクタの顔面の輪郭を構成する。
【００２１】
また、本発明において好ましくは、描画用材料が付加された対象物の対価を決定可能な対価決定部を更に備え、
対価決定部は、前記絵柄受付部が受け付けた絵柄に応じて異なる対価を決定するように構成される。
【００２２】
また、本発明において好ましくは、前記対価決定部は、対象物に対する第１の対価及び絵柄に対する第２の対価を決定するように構成され、該第２の対価は、該１の対価と異なるものであり、該第１の対価よりも低い額である。
【００２３】
また、上記の目的を達成するために、本発明の一態様としての提供システムは、
対象物を提供可能な提供装置、対象物を収容可能な第１の容器、及び該第１の容器をその中に嵌め込むことが可能なスリーブを含む提供システムであって、
前記提供装置は、
複数の絵柄のうちの１つの絵柄を受付可能な絵柄受付部と、
対象物を前記第１の容器に供給可能な対象物供給部と、
前記絵柄受付部が受け付けた絵柄を生成するために、前記対象物供給部により前記第１の容器に供給された対象物に描画用材料を付加する描画用材料付加部と、を備え、
前記スリーブは所定の形成物を有し、
前記第１の容器が前記スリーブ内に嵌め込まれたとき、前記描画用材料付加部が描画用材料を付加することにより生成された絵柄は、前記スリーブが有する所定の形成物と一体化することができる、ことを特徴とする。
【００２４】
また、上記の目的を達成するために、本発明の一態様としての提供システムは、
対象物を提供可能な提供システムであって、
複数の絵柄のうちの１つの絵柄を受付可能な絵柄受付部と、
対象物を第１の容器に供給可能な対象物供給部と、
前記絵柄受付部が受け付けた絵柄を生成するために、前記対象物供給部により前記第１の容器に供給された対象物に描画用材料を付加する描画用材料付加部と、を備え、
前記第１の容器は、前記第１の容器とは異なる第２の容器内に収容可能なものであり、前記第２の容器は所定の形成物を有し、
前記第１の容器が前記第２の容器に収容されたとき、前記描画用材料付加部が描画用材料を付加することにより生成された絵柄は、前記第２の容器が有する所定の形成物と一体化することができる、ことを特徴とする。
【００２５】
また、上記の目的を達成するために、本発明の一態様としての提供装置は、
対象物を提供可能な提供装置であって、
複数の絵柄のうちの１つの絵柄を受付可能な絵柄受付部と、
対象物を第１の容器に供給可能な対象物供給部と、
前記絵柄受付部が受け付けた絵柄を生成するために、前記対象物供給部により前記第１の容器に供給された対象物に描画用材料を付加する描画用材料付加部と、を備え、
前記第１の容器は、前記第１の容器とは異なる第２の容器内に収容可能なものであり、前記第２の容器は所定の形成物を有し、
前記第１の容器が前記第２の容器に収容されたとき、前記描画用材料付加部が描画用材料を付加することにより生成された絵柄は、前記第２の容器が有する所定の形成物と一体化することができる、ことを特徴とする。
【００２６】
また、上記の目的を達成するために、本発明の一態様としてのプログラムは、
対象物を提供可能な提供装置に実行させるためのプログラムであって、該提供装置に、
複数の絵柄のうちの１つの絵柄を受け付けるステップと、
対象物を第１の容器に供給するように前記提供装置を動作させるステップと、
前記受け付けた絵柄を生成するために、前記第１の容器に供給された対象物に描画用材料を付加するように、前記提供装置を動作させるステップと、を実行させ、
前記第１の容器は、前記第１の容器とは異なる第２の容器内に収容可能なものであり、前記第２の容器は所定の形成物を有し、
前記第１の容器が前記第２の容器に収容されたとき、前記生成された絵柄は、前記第２の容器が有する所定の形成物と一体化することができる、ことを特徴とする。
【発明の効果】
【００２７】
本発明によれば、ラテアートを用いた、より興趣性のある飲料サービスを提供することができる。
【図面の簡単な説明】
【００２８】
【図１】本発明の一実施形態の提供システムの概略図である。
【図２】本発明の一実施形態の提供装置のハードウェア構成を示すブロック図である。
【図３】本発明の一実施形態の提供装置の機能ブロック図である。
【図４】描画用材料付加部が対象物の上面に描画する絵柄の例示である。
【図５】第１の容器が第２の容器に収容される様子を示す図である。
【図６】第１の容器が第２の容器に収容された後の様子を示す図である。
【図７】描画用材料が付加された対象物を収容する第１の容器が第２の容器に収容されたときの真上方向から見た絵柄を示す図である。
【図８】真上方向から見た従来のラテアートを示す図である。
【図９】本発明の一実施形態の提供装置の動作を示すフローチャートである。
【図１０】一実施例の第２の容器の外観を示す図である。
【図１１】本発明の一実施形態の提供システムの全体構成図の一例である。
【発明を実施するための形態】
【００２９】
以下、図面を参照して、本発明の実施形態の提供システム１について説明する。説明の便宜上、各図において同一の符号は、特に言及が無い限り同一又は相当部分を示すものとし、図面の縦横の縮尺を実際のものとは異なるように表す場合がある。また、必要以上に詳細な説明は省略する場合がある。
【００３０】
図１は、本発明の一実施形態の提供システム１の概略図である。図１に示すように、提供システム１は、対象物を提供可能な提供装置２と、対象物を収容可能な第１の容器４と、第１の容器４を収容可能な第２の容器６と、を含む。提供装置２は、自動でラテアート付き飲料を提供する既知の装置が持つ機能を有することができる。
【００３１】
対象物は、カップなどの容器に収容される、上面がラテアート用の絵柄を描画できるように泡状体で上面が覆われた液状体である。例えば、対象物は、上面がラテアート用の絵柄を描画できるようにスチームで泡立てられたミルクで覆われたカフェオレやカフェラテなどの飲料である。提供装置２は、当該飲料をカップなどの容器に注ぐことで提供できるように構成される。
【００３２】
第１の容器４は、例えば一般的な紙コップであり、底面（図示せず）、外側面４１、及び開口縁部４２を有する。第２の容器６は、例えばコップ形状の紙製の入れ物であり、底面（図示せず）、外側面６１、及び開口縁部６２を有するとともに、所定の形成物を有する。所定の形成物は、開口縁部６２に形成された造形物６３ａであり、造形物６３ａは、一対の耳を模した突起物６３ａである。所定の形成物は、開口縁部６２に取り付けられた造形物６３ａであってもよい。ただし、第２の容器６は、底面を有さない形状とすることもできる。この場合、第２の容器６は、その内部の空洞に第１の容器４を収容することができる。なお本実施形態では、第２の容器６が第１の容器４を「収容」することは、第２の容器６が第１の容器４を完全に覆わずに第１の容器４を第２の容器６の内部の空洞において支持することを含むものとする。
【００３３】
本実施形態では、絵柄はキャラクタや模様を含む概念である。以下では、便宜上、絵柄はキャラクタの表情を表すものとして説明するが、絵柄はキャラクタの表情以外のイラスト若しくは模様、又はキャラクタ以外のアイテム若しくはオブジェクトのデザイン若しくは模様などを含むことができる。本実施形態では、注文者が、描画用材料が付加された対象物、例えばラテアート付きのカフェラテを注文し、提供者が提供装置２を用いて描画用材料が付加された対象物を提供する場面を想定している。
【００３４】
図２は本発明の一実施形態の提供装置２のハードウェア構成を示すブロック図である。提供装置２は、プロセッサ２１、対象物供給機構２２、プリンタ２３、入力装置２４、表示装置２５、及び記憶装置２６を備える。これらの各構成装置はバス２７によって接続される。なお、バス２７と各構成装置との間には必要に応じてインタフェースが介在しているものとする。
【００３５】
プロセッサ２１は、提供装置２全体の動作を制御する。例えばプロセッサ２１は、ＣＰＵである。プロセッサ２１は、記憶装置２６に格納されているプログラムやデータを読み込んで実行することにより、様々な処理を実行する。プロセッサ２１は、複数のプロセッサから構成されてもよい。
【００３６】
提供装置２は、第１の容器４を置くための載置面を有し、対象物供給機構２２は、載置面に置かれた第１の容器４に対象物を提供するための機構であり、プロセッサ２１により制御される。対象物供給機構２２は、コーヒー飲料を供給可能な既知の装置が備える供給機構を備えることができる。１つの例では、対象物供給機構２２は、湯を貯めるための貯湯タンク、ミルクをためるためのミルクタンク、コーヒーを淹出可能な淹出ユニット、ミルクを泡立てるための泡立てモジュール、コーヒーの抽出口、及びミルクノズルを含む。この場合、対象物供給機構２２は、提供装置２の載置面に置かれた第１の容器４に、淹れたコーヒーが配管を通って抽出口から供給されるように、かつ泡立てられたミルクがミルクノズルから供給されるように構成される。
【００３７】
プリンタ２３は、提供装置２の載置面に置かれた第１の容器４に、描画用材料を付加することで絵柄を描画するためのユニットであり、プロセッサ２１により制御される。描画用材料は、一色の食用インク体である。ただし、描画用材料は、多色の食用インク体、又はココアやコーヒーのパウダーなどとすることもできる。
【００３８】
入力装置２４は、提供装置２に対するユーザからの入力を受け付けるユーザインタフェースであり、例えば、タッチパネル、タッチパッド、又はボタンである。表示装置２５は、プロセッサ２１の制御に従って、アプリケーション画面などを提供装置２のユーザに表示するディスプレイである。本実施形態においては、提供装置２は入力装置２４としてタッチパネル２４を備え、タッチパネル２４は表示装置２５としても機能し、入力装置２４と表示装置２５は一体となった構造である。
【００３９】
記憶装置２６は、主記憶装置及び補助記憶装置を含む。主記憶装置は、例えばＲＡＭのような半導体メモリである。ＲＡＭは、情報の高速な読み書きが可能な揮発性の記憶媒体であり、プロセッサ２１が情報を処理する際の記憶領域及び作業領域として用いられる。主記憶装置は、読み出し専用の不揮発性記憶媒体であるＲＯＭを含んでいてもよい。補助記憶装置は、様々なプログラムや、各プログラムの実行に際してプロセッサ２１が使用するデータを格納する。補助記憶装置は、情報を格納できるものであればいかなる不揮発性ストレージ又は不揮発性メモリであってもよく、着脱可能なものであっても構わない。
【００４０】
図３は本発明の一実施形態の提供装置２の機能ブロック図である。提供装置２は、絵柄記憶部３１と、絵柄受付部３２と、対象物供給部３３と、描画用材料付加部３４とを備える。本実施形態では、プログラムがプロセッサ２１により実行されることにより、又はプログラムがプロセッサ２１により実行され、かつ対象物供給機構２２若しくはプリンタ２３が動作することにより、これらの機能が実現される。このように、各種機能がプログラム読み込みにより実現されるため、１つのパート（機能）の一部又は全部を他のパートが有していてもよい。例えば実行されるプログラムは、記憶装置２６が一時的に又は非一時的に記憶するプログラムである。
【００４１】
絵柄記憶部３１は、対象物の上面に描画する絵柄を記憶装置２６に記憶する。絵柄記憶部３１が記憶する絵柄は、各絵柄が１つのキャラクタの１つの表情に対応するものであり、絵柄記憶部３１は、複数のキャラクタ及び複数の表情の絵柄を含む複数の絵柄を記憶する。
【００４２】
絵柄受付部３２は、複数の絵柄のうちの１つの絵柄を受け付けることができる。１つの例では、絵柄受付部３２は、対象物の上面に描画する絵柄をタッチパネル２４に表示し、ユーザからの入力をタッチパネル２４により受け付けることにより１つの絵柄の入力を受け付ける。
【００４３】
対象物供給部３３は、提供装置２の載置面に置かれた第１の容器４に対象物を供給することができる。１つの例では、対象物供給部３３は、絵柄受付部３２が１つの絵柄を受け付けると、対象物供給機構２２を動作させて、提供装置２の載置面に置かれた第１の容器４に対象物を供給する。このとき、対象物供給部３３は、対象物の上面をラテアート用の絵柄を描画できるように泡状体で覆うように、第１の容器４に対象物を供給する。泡状体は、例えば白色などの均一な色であり、表面が絵柄を描画できる程度に平面であることが好ましい。
【００４４】
描画用材料付加部３４は、提供装置２の載置面に置かれた第１の容器４に描画用材料を付加することができる。１つの例では、描画用材料付加部３４は、対象物供給部３３により提供装置２の載置面に置かれた第１の容器４に対象物を供給された後、プリンタ２３を動作させて、第１の容器４に描画用材料を付加する。
【００４５】
図４は、描画用材料付加部３４が対象物の上面に描画する絵柄の例示である。図４に示すように、絵柄の各々が１つのキャラクタの異なる表情を表す。絵柄記憶部３１は、各々の絵柄を１つの絵柄として記憶する。
【００４６】
図５は、第１の容器４が第２の容器６に収容される様子を示す図である。１つの例では、提供者は、描画用材料が付加された対象物を収容する第１の容器４を第２の容器６内に収容し、注文者に提供する。
【００４７】
図６は、第１の容器４が第２の容器６に収容された後の様子を示す図である。第１の容器４及び第２の容器６は、第１の容器４が第２の容器６に収容されたとき、第２の容器６の内側面が第１の容器４の外側面に沿って該外側面を覆うように構成される。このように、第１の容器４は第２の容器６に重ねられるようにして第２の容器６内に収容され、第１の容器４が第２の容器６に収容されると、第１の容器４の外側面は第２の容器６により確認することができない。このとき、第１の容器４及び第２の容器６は、第１の容器４の開口縁面及び第２の容器６の開口縁面が実質的に面一となるように構成される。
【００４８】
図７は、描画用材料が付加された対象物を収容する第１の容器４が第２の容器６に収容されたときの真上方向から見た絵柄を示す図である。対象物の上面に描画された絵柄はキャラクタの表情であり、第１の容器４の開口縁部４２は該キャラクタの顔面の輪郭を構成する。第２の容器６の開口縁部６２に形成された一対の耳を模した突起物６３ａは、対象物の上面に描画されたキャラクタの一対の耳に対応する。本実施形態では、第１の容器４が第２の容器６に収容されたときであって、第１の容器４及び第２の容器６が所定の位置関係にあるとき、生成された絵柄及び第２の容器６が有する所定の形成物は一体となって１つの絵柄を形成する。このように、第１の容器４が第２の容器６に収容されたとき、描画用材料付加部３４が描画用材料を付加することにより生成された絵柄は、第２の容器６が有する所定の形成物と一体化することができる。なお、第２の容器６の開口縁部６２は、第１の容器４の開口縁部４２に隣接して沿うように配置されるため、第２の容器６の開口縁部６２もまたキャラクタの顔面の輪郭を構成する。
【００４９】
図８は、真上方向から見た従来のラテアートを示す図である。従来、ラテアートを用いて図７に示すような耳付きのキャラクタの絵柄を描画する場合、キャラクタの耳を含めたキャラクタの表情を、描画用材料を付加することにより作成していた。
【００５０】
本実施形態では、提供装置２が第１の容器４が収容する対象物の上面に描画用材料を付加することによりキャラクタの表情を描画し、第１の容器４の開口縁部４２がキャラクタの顔面の輪郭を構成する。第１の容器４が第２の容器６に収容されたとき、第２の容器６に形成された突起物６３ａがキャラクタの耳を構成することで、突起物６３ａは描画用材料により描画されたキャラクタの表情と一体となって、１つの絵柄を形成する。このように、従来、注文者はカップに注がれた飲料に表現されたラテアートを楽しむにとどまっていたが、第２の容器６を導入することにより、ラテアートの表現を拡張することができ、より興趣性のある飲料サービスを提供することが可能となる。
【００５１】
また本実施形態では、第２の容器６の内側面が第１の容器４の外側面に沿って該外側面を覆うように構成することにより、対象物を収容する機能のみを有し、デザインを有さない第１の容器４を見えないようにすることができる。これにより、第１の容器４は、造形物６３ａを有さないため、造形物６３ａにより第１の容器４が提供装置２の載置面に置くのが難しくなるといった問題を防ぐことが可能となる。一方で、第２の容器６は、対象物を収容する機能を必要とせず、描画用材料により描画される絵柄と一体化することができる所定の形成物を有するように設計することができることから、ラテアートの表現を拡張することができ、より興趣性のある飲料サービスを提供することが可能となる。
【００５２】
図９は、本発明の一実施形態の提供装置２の動作を示すフローチャートである。本フローチャートの処理は、提供装置２においてプログラムがプロセッサ２１により実行され、かつ対象物供給機構２２若しくはプリンタ２３が動作することにより実行される。
【００５３】
ステップ１０１で、絵柄受付部３２は、複数の絵柄のうちの１つの絵柄を受け付ける。ステップ１０２で、対象物供給部３３は、対象物を第１の容器４に供給するように対象物供給機構２２を動作させて、提供装置２の載置面に置かれた第１の容器４に対象物を供給する。ステップ１０３で、描画用材料付加部３４は、絵柄受付部３２が受け付けた絵柄を生成するために、対象物供給部３３により第１の容器４に供給された対象物に描画用材料を付加するように、プリンタ２３を動作させて、第１の容器４に描画用材料を付加する。
【００５４】
次に、好適な実施例について説明する。以下で述べる実施例は、矛盾が生じない限りにおいて、適宜組み合わせて本発明の任意の実施形態、実施例又は変形例に適用することができる。
【００５５】
１つの例では、第１の容器４及び第２の容器６は、第１の容器４が第２の容器６に収容されたとき、第２の容器６が第１の容器４に対して変位できるように構成される。本実施形態では、例えば図７に示すように、第２の容器６に形成された突起物６３ａが、第１の容器４が収容する対象物の上面に描画されるキャラクタの耳の位置となるように、第１の容器４及び第２の容器６の位置は調整する必要がある。このような構成とすることにより、第１の容器４及び第２の容器６の位置調整をより容易に行うことが可能となる。位置調整をより容易に行うため、好ましくは、第１の容器４及び第２の容器６は、第１の容器４が第２の容器６に収容されたとき、第２の容器６が第１の容器４に対して周方向にのみ回転できるように構成される。なお、第１の容器４及び第２の容器６は、第１の容器４が第２の容器６に収容されたとき、第１の容器４も第２の容器６に対して変位できるように構成される。
【００５６】
上記の例示において、第１の容器４及び第２の容器６は所定の位置合わせマークを有することができる。これにより、提供者は、第１の容器４及び第２の容器６の位置調整をより簡易にすることが可能となる。
【００５７】
１つの例では、第２の容器６が有する所定の形成物は、開口縁部６２に形成された造形物６３ａ及び外側面６１に形成された模様６３ｂを備える。図１０は、一実施例の第２の容器６の外観を示す図である。図１０が示すように、模様６３ｂは、対象物の上面に描画されるキャラクタの周辺パーツとボディーのデザインが表現されたものである。このような構成とすることにより、描画用材料が付加された対象物を収容する第１の容器４が第２の容器６に収容された場合、真上方向から見たときに描画されたキャラクタの表情は所定の形成物と一体となって１つの絵柄を形成するだけではなく、上斜め方向から見たときに立体的な１つのキャラクタを表現することが可能となる。すなわち、この場合においても、第１の容器４が第２の容器６に収容されたとき、描画用材料付加部３４が描画用材料を付加することにより生成された絵柄は、第２の容器６が有する所定の形成物と一体化することができる。
【００５８】
前述のとおり、第２の容器６は、対象物を収容する機能を必要とせず、描画用材料により描画される絵柄と一体化することができる所定の形成物を有するように設計することができることから、印刷に適した材料を用いることができる。これにより、対象物の上面に描画されるキャラクタの変更に伴う模様６３ｂの変更をより容易に行うことが可能となり、より興趣性のある飲料サービスを提供することが可能となる。
【００５９】
描画用材料付加部３４が対象物の上面に描画する絵柄がキャラクタではなく、アイテム又はオブジェクトである場合、模様６３ｂもこれに対応するデザインが表現されたものである。例えば絵柄が特定の景色であるとき、模様６３ｂは当該景色に対応するデザインである。
【００６０】
１つの例では、絵柄記憶部３１が記憶する複数の絵柄は、所定の期間ごとに更新される。
【００６１】
１つの例では、提供システム１は、絵柄記憶部３１が記憶する複数の絵柄に対応して、各々が異なる所定の形成物を有する複数の種類の第２の容器６を含むことができる。第１の容器４が第２の容器６に収容されたとき、１つの種類の第２の容器６の所定の形成物が、絵柄記憶部３１が記憶する複数の絵柄のうちの複数の絵柄と一体化することができるように第２の容器６は構成される。例えば、対象物の上面に描画される１つのキャラクタの複数の表情に対応する複数の絵柄が、１つの種類の第２の容器６の当該キャラクタに関連する所定の形成物と一体化することができる。
【００６２】
１つの例では、提供装置２がカフェラテやカプチーノ等の複数の種類の対象物を提供可能な場合、提供装置２は、ユーザからの入力をタッチパネル２４により受け付けることにより対象物の選択を受け付けることができる。或いは、提供装置２は、入力装置２４として、対象物の選択を受け付けるためのボタンを更に備えることができる。
【００６３】
１つの例では、提供装置２は、対価決定部３５を更に備える。対価決定部３５は、描画用材料が付加された対象物の対価を決定することができる。例えば、絵柄記憶部３１は、各絵柄と予め設定した対価とを紐付けた絵柄対価データを記憶装置２６に記憶し、対価決定部３５は、記憶された絵柄対価データを用いて、絵柄受付部３２が受け付けた絵柄に応じて異なる対価を決定する。
【００６４】
上記の例示において、提供装置２がカフェラテやカプチーノ等の複数の種類の対象物を提供可能な場合、絵柄記憶部３１は、各対象物と予め設定した対価とを紐付けた対象物対価データを記憶装置２６に記憶し、対価決定部３５は、記憶された対象物対価データを用いて、選択された対象物に応じて異なる対価を決定する。更に対価決定部３５は、決定された絵柄の対価及び対象物の対価を加算して提供する描画用材料が付加された対象物の対価を決定する。提供装置２は、決定された対価を表示装置２５に表示することができる。
【００６５】
本発明の他の実施形態では、上記で説明した本発明の実施形態の機能やフローチャートに示す情報処理を実現するプログラムや該プログラムを格納したコンピュータ読み取り可能な記憶媒体とすることもできる。また他の実施形態では、上記で説明した本発明の実施形態の機能やフローチャートに示す情報処理を実現する方法とすることもできる。
【００６６】
以下に本発明の実施形態の変形例について説明する。以下で述べる変形例は、矛盾が生じない限りにおいて、適宜組み合わせて本発明の任意の実施形態、実施例又は変形例に適用することができる。
【００６７】
１つの変形例では、提供システム１は、第２の容器６の代わりにスリーブを備える。スリーブは、底面を有さない筒形形状を有し、外側面６１及び開口縁部６２を有するとともに、所定の形成物を有する。スリーブは、その内部の空洞に第１の容器４を嵌め込むことができる。所定の形成物は、第２の容器６に形成されるものと同様である。本実施例においても、第２の容器６と同様に、第１の容器４がスリーブ内に嵌め込まれたとき、描画用材料付加部３４が描画用材料を付加することにより生成された絵柄は、スリーブが有する所定の形成物と一体化することができるように構成される。スリーブは、特に矛盾が生じない限り、第２の容器６の他の実施形態、実施例又は変形例と同様に構成することができる。
【００６８】
１つの変形例では、第１の容器４及び第２の容器６は、第１の容器４が第２の容器６に収容されたとき、第１の容器４の外側面６１の一部及び開口縁部６２が第２の容器６に覆われないように構成される。１つの変形例では、第１の容器４及び第２の容器６は、第１の容器４の開口縁面及び第２の容器６の開口縁面が面一とならないように構成される。１つの変形例では、第２の容器６は内側面に支持部を備え、第１の容器４は、第２の容器６に収容されると、支持部により動かないように支持される。これらの場合においても、描画用材料が付加された対象物を収容する第１の容器４が第２の容器６に収容された場合、真上方向から見たときに対象物の上面に描画されたキャラクタの表情は所定の形成物と一体となって１つの絵柄を形成する。
【００６９】
１つの変形例では、第２の容器６の開口縁部６２に形成された造形物６３ａは単一の突起物６３ａである。この場合、例えば対象物の上面に描画されるキャラクタは、１つの角を有するキャラクタであり、第２の容器６に形成された突起物６３ａがキャラクタの角を構成することで、描画されたキャラクタの表情と一体となって、１つの絵柄を形成する。他の変形例では、第２の容器６が有する所定の形成物は、外側面６１に形成された模様６３ｂのみを備える。
【００７０】
１つの変形例では、提供装置２は、通信装置２８を備える。通信装置２８は、ネットワークを介してユーザ端末又はサーバなどの他のコンピュータとの間でデータの授受を行うことが可能な無線ＬＡＮモジュールである。ただし、通信装置２８は、Ｂｌｕｅｔｏｏｔｈ（登録商標）モジュールなどの他の無線用通信デバイスとすることもできるし、イーサネット（登録商標）モジュールやＵＳＢインタフェースなどの有線用通信デバイスとすることもできる。
【００７１】
提供装置２が通信装置２８を備える上記の変形例において、提供システム１は、提供装置２を操作するための操作端末８を備えることができる。図１１は、本発明の一実施形態の提供システム１の全体構成図の一例である。提供装置２及び操作端末８は、インターネットなどのネットワーク１０に接続され、互いに通信可能である。ただし、それぞれが必要に応じて個別に接続される形態であってもかまわない。例えば操作端末８は、タブレットコンピュータのような端末装置である。例えば操作端末８は、操作端末８全体の動作を制御するプロセッサと、主記憶装置や補助記憶装置を含む記憶装置と、操作端末８の出力を表示するとともに操作端末８に対するユーザからの入力を受け付けるタッチパネルと、を備える。これらの構成要素はバスを介して接続される。提供装置２は、通信装置２８を介して、操作端末８と通信できるように構成され、操作端末８との間で各種情報を送受信できるように構成される。
【００７２】
操作端末８には、対象物の上面に描画する絵柄をタッチパネルに表示し、ユーザからの入力をタッチパネルにより受け付けることにより絵柄を選択させ、選択された絵柄に関するデータを提供装置２に送信するアプリケーションがインストールされている。提供装置２の記憶装置２６は、操作端末８にインストールされたアプリケーションに対応するアプリケーションを記憶し、通信装置２８を介して、操作端末８から絵柄に関するデータを受信することができるように構成される。この場合、絵柄受付部３２は、操作端末８におけるユーザからの入力に応じて選択された１つの絵柄に関するデータを操作端末８から受信することにより、受信したデータに対応する１つの絵柄を受け付ける。このような構成とすることにより、提供者の操作性が向上するため、ラテアートを用いた、より興趣性のある飲料サービスを提供することが可能となる。
【００７３】
提供システム１が操作端末８を備える上記の変形例において、提供システム１は、対象物の上面に描画する複数の絵柄を記憶する絵柄記憶装置を備えることができる。例えば、操作端末８が絵柄記憶装置としても機能することができる。或いは、操作端末８以外のサーバ装置などが絵柄記憶装置として機能することができる。これらの場合、提供装置２は、絵柄記憶部３１を備えなくてもよい。提供装置２は、絵柄記憶装置から絵柄に関するデータを受信することができる。絵柄受付部３２は、操作端末８におけるユーザからの入力に応じて選択された１つの絵柄に関するデータを操作端末８又はサーバ装置などから受信することにより、受信したデータに対応する１つの絵柄を受け付ける。なお、絵柄記憶装置が記憶する複数の絵柄は、所定の期間ごとに更新することができる。
【００７４】
提供システム１が操作端末８を備える上記の変形例において、操作端末８は、注文者又は提供者のスマートフォンとすることもでき、この場合、スマートフォンには、専用のアプリケーションがインストールされている。１つの例では、専用のアプリケーションは、対象物の上面に描画する絵柄をスマートフォンのタッチパネルに表示し、ユーザからの入力を該タッチパネルにより受け付けることにより絵柄を選択させ、選択された絵柄に関するデータを提供装置２に送信する。他の例では、専用のアプリケーションは、ユーザ操作によりゲームの実行結果が出力されるゲームアプリケーションであり、ゲームの実行結果又はゲームの実行結果に対応する絵柄に関するデータを提供装置２に送信する。この場合、絵柄受付部３２は、ゲームの実行結果に対応した１つの絵柄又は受信した絵柄に関するデータに対応する１つの絵柄を受け付ける。このような構成とすることにより、対象物の上面に描画される絵柄を注文者が能動的に決定可能な構成が実現されることから、より興趣性のある飲料サービスを提供することが可能となる。
【００７５】
提供システム１が操作端末８を備える上記の変形例において、提供装置２が、ユーザからの入力のすべてを操作端末８から受け付けることができる場合、提供装置２は、入力装置２４を備えなくてもよい。この場合、提供装置２は、表示装置２５として、タッチパネル機能を有しないディスプレイを備えてもよいし、又は表示装置２５を備えなくてもよい。
【００７６】
１つの変形例では、提供装置２は、抽選処理を実行して、絵柄記憶部３１が記憶する複数の絵柄から１つの絵柄を選択することができる。絵柄受付部３２は、抽選処理により選択された１つの絵柄を受け付ける。このような構成とすることにより、対象物の上面に描画される絵柄を注文者が予測できない構成が実現されることから、より興趣性のある飲料サービスを提供することが可能となる。
【００７７】
１つの変形例では、絵柄受付部３２は、複数の絵柄を受け付けることができる。描画用材料付加部３４は、絵柄受付部３２が受け付けた絵柄を組み合わせた絵柄を、描画用材料を付加することにより生成する。
【００７８】
１つの変形例では、提供装置２は、第１の容器提供部２９ａ及び第２の容器提供部２９ｂを更に備える。第１の容器提供部２９ａは、提供装置２の載置面に第１の容器４を置く。第２の容器提供部２９ｂは、描画用材料が付加された対象物を収容する第１の容器４を載置面から取り出して第２の容器６内に収容するように、第２の容器６を提供する。第２の容器提供部２９ｂは、第１の容器４及び第２の容器６が所定の位置関係となるように第２の容器６を提供する。
【００７９】
１つの変形例では、提供装置２は、対象物供給機構２２を含まない。この場合、提供装置２は、対象物供給部３３以外の機能を有する。提供者は、対象物を収容した第１の容器４を提供装置２の載置面に置いて、提供装置２を利用する。
【００８０】
１つの変形例では、対象物供給機構２２における抽出口とミルクノズルは共通の吐出口である。
【００８１】
以上に説明した処理又は動作において、あるステップにおいて、そのステップではまだ利用することができないはずのデータを利用しているなどの処理又は動作上の矛盾が生じない限りにおいて、処理又は動作を自由に変更することができる。また以上に説明してきた各実施例は、本発明を説明するための例示であり、本発明はこれらの実施例に限定されるものではない。本発明は、その要旨を逸脱しない限り、種々の形態で実施することができる。
【符号の説明】
【００８２】
１  提供システム
２  提供装置
４  第１の容器
６  第２の容器
８  操作端末
１０  ネットワーク
２１  プロセッサ
２２  対象物供給機構
２３  プリンタ
２４  入力装置（タッチパネル）
２５  表示装置
２６  記憶装置
２７  バス
２８  通信装置
２９ａ  第１の容器提供部
２９ｂ  第２の容器提供部
３１  絵柄記憶部
３２  絵柄受付部
３３  対象物供給部
３４  描画用材料付加部
３５  対価決定部
４１、６１  外側面
４２、６２  開口縁部
６３ａ  造形物（突起物）
６３ｂ  模様
【図１】
2020156890.tif 000003
【図２】
2020156890.tif 000004
【図３】
2020156890.tif 000005
【図４】
2020156890.tif 000006
【図５】
2020156890.tif 000007
【図６】
2020156890.tif 000008
【図７】
2020156890.tif 000009
【図８】
2020156890.tif 000010
【図９】
2020156890.tif 000011
【図１０】
2020156890.tif 000012
【図１１】
2020156890.tif 000013